(57)【特許請求の範囲】
【請求項１】
ロール状に巻かれた感光材料をロール軸芯周りに回転自在に支持する感光材料支持部をマガジン本体に設け、前記感光材料支持部に支持させた感光材料を挟持搬送可能な駆動ローラと圧着ローラとを前記マガジン本体に設けて、前記感光材料を繰り出し及び巻き戻し自在に構成してある写真処理機における感光材料収容マガジンであって、
前記駆動ローラと前記圧着ローラが圧着された状態において、前記圧着ローラが感光材料の巻き戻し方向に回転するのを阻止する回転阻止状態とそれを許容する回転許容状態とに切り換え可能な切り換え機構を前記マガジン本体に設け、
写真処理機本体に装着すると前記切り換え機構が前記回転許容状態側に切り換わるよう構成してある写真処理機における感光材料収容マガジン。
【請求項２】
前記切り換え機構は、前記圧着ローラと連係するラチェット機構を設けて構成してある請求項１に記載の写真処理機における感光材料収容マガジン。
【発明の詳細な説明】
【０００１】
【発明の属する技術分野】
本発明は、ロール状に巻かれた感光材料をロール軸芯周りに回転自在に支持する感光材料支持部をマガジン本体に設け、前記感光材料支持部に支持させた感光材料を挟持搬送可能な駆動ローラと圧着ローラとを前記マガジン本体に設けて、前記感光材料を繰り出し及び巻き戻し自在に構成してある写真処理機における感光材料収容マガジンに関する。
【０００２】
なお、写真処理機では、長時間作動を停止するとき等は感光材料をマガジン本体内に巻き戻して、感光材料に写真処理機本体内の圧着ローラ等の圧着痕が残るのを回避している。
【０００３】
【従来の技術】
写真処理機本体から取り外した空の感光材料収容マガジン（以下、「マガジン」と略称する）に感光材料を装着する場合、二つ割り構造のマガジン本体をオペレータが作業台上で開放し、感光材料支持部にロール状の感光材料を支持させるとともに、感光材料の先端側を前記駆動ローラと圧着ローラとに挟持させて感光材料を繰り出し可能にしている。
【０００４】
このように、マガジンに感光材料を装着したときに、感光材料の先端側をマガジンの駆動ローラと圧着ローラとに挟持させた状態にしているが、その挟持力が弱いと、マガジンを写真処理機本体側に運搬する際や写真処理機本体のマガジン台に取り付ける際に、衝撃等でロール状の感光材料が巻き戻し回転するとともに、圧着ローラが回転し、それに伴って感光材料が巻き戻されて、感光材料の先端側が駆動ローラと圧着ローラとから外れるために、感光材料を両ローラに挟持される状態に装着しなおさなければならなくなる。
【０００５】
そこで従来では、感光材料が駆動ローラと圧着ローラとから上記のように外れるのを防止する手段として、圧着ローラに負荷を与えてあった。
【０００６】
【発明が解決しようとする課題】
上記従来の構成によれば、圧着ローラに負荷を与えてあったために、駆動ローラによる感光材料の引き出し及び巻き戻しに大きな力を必要とし、駆動ローラの駆動部（例えば電動モータ）が出力の大きなものになっていた。
【０００７】
本発明は上記実情に鑑みてなされたもので、その目的は、感光材料を引き出し及び巻き戻しするための駆動ローラの駆動部を従来よりも出力の小さいものにできるようにする点にある。
【０００８】
【課題を解決するための手段】
請求項１による発明の構成・作用・効果は次の通りである。
【０００９】
［構成］
冒頭に記載した写真処理機における感光材料収容マガジンにおいて、前記駆動ローラと前記圧着ローラが圧着された状態において、前記圧着ローラが感光材料の巻き戻し方向に回転するのを阻止する回転阻止状態とそれを許容する回転許容状態とに切り換え可能な切り換え機構を前記マガジン本体に設け、写真処理機本体に装着すると前記切り換え機構が前記回転許容状態側に切り換わるよう構成してある。
【００１０】
［作用］
ロール状の感光材料を装着したマガジンを写真処理機本体側に運搬する際や写真処理機本体に取り付ける際は、切り換え機構を前記回転阻止状態側に切り換えた状態にしておく。
【００１１】
これにより、写真処理機本体側に運搬等されるマガジンが衝撃を受けても、マガジン内のロール状の感光材料が巻き戻しされるのを回避できて、感光材料の先端側が駆動ローラと圧着ローラとから外れるのを防止できる。
【００１２】
感光材料を装着したマガジンを写真処理機本体に取り付けた後は、切り換え機構を前記回転許容状態側に切り換えた状態にして、感光材料を巻き戻すことができるようにする。
【００１３】
これにより、写真処理機を長時間作動を停止させるとき等は感光材料をマガジン本体内に巻き戻して、感光材料に写真処理機本体内の圧着ローラ等の圧着痕が残るのを回避することができる。
【００１４】
請求項１の構成によれば、前記切り換え機構を設けたことで、圧着ローラに負荷を与える必要がなくなり、負荷を与えた状態で感光材料を引き出し及び巻き戻す従来の技術に比べると、駆動ローラによる引き出し及び巻き戻し力が小さくて済む。また、写真処理機本体側に装着すると切り換え機構が回転許容状態側に切り換わるから、写真処理機本体側に装着した後に、オペレータが切り換え機構を回転許容状態側に切り換え操作する必要がなく、また、その切り換え操作の忘れを回避することができる。
【００１５】
［効果］
従って、感光材料を引き出し及び巻き戻すための駆動ローラの駆動部を従来よりも出力の小さいものできると共に、オペレータの労力を軽減することができた。
【００１６】
請求項２による発明の構成・作用・効果は次の通りである。
【００２２】
［構成］
請求項１による発明の構成において、前記切り換え機構は、前記圧着ローラと連係するラチェット機構を設けて構成してある。
【００２３】
［作用］
請求項１の構成による作用と同様の作用を奏することができるのに加え、次の作用を奏することができる。
【００２４】
前記切り換え機構は、圧着ローラと連係するラチェット機構を設けて構成してあるから、前記回転阻止状態においては圧着ローラは感光材料の繰り出し方向に回転可能になり、その結果、写真処理機本体から取り外した空のマガジンに感光材料を装着する場合、二つ割り構造等のマガジン本体を開放して、感光材料支持部にロール状の感光材料を支持させるとともに、マガジン本体を閉じた後に感光材料の先端側を駆動ローラと圧着ローラとに挟持される状態に、両ローラ間に入り込ませることができる。
【００２５】
また、切り換え機構の構造の部品点数が多くなるのを回避することができる。
【００２６】
［効果］
従って、請求項１の構成による効果と同様の効果を奏することができるのに加え、ロール状の感光材料の装着作業の作業性を向上させることができるとともに、切り換え機構の構造を簡素化することができた。
【００２７】
【発明の実施の形態】
以下、本発明の実施の形態を図面に基づいて説明する。
【００２８】
図１に、デジタル画像を印画紙２（感光材料に相当）に焼付け処理する写真処理機の焼付け処理部１を示してある。
【００２９】
前記焼付け処理部１は、マガジン台３を機体フレーム４に設け、パイプ状の芯材２４（図３参照）にロール状に巻かれた一対の印画紙２をロール軸芯Ｏ周りに各別に回転自在に支持する第１マガジン５と第２マガジン６とをマガジン台３上に横方向に並設するとともに、印画紙２を搬送する搬送手段８を設け、印画紙２を第１マガジン５から繰り出す状態と、第２マガジン６から繰り出す状態とに切り換え自在に構成し、第１マガジン５と第２マガジン６からの印画紙２を焼付処理する画像形成部７を第１マガジン５の下方側に配設して構成してある。
【００３０】
次に、前記第１マガジン５について説明する（第２マガジン６は第１マガジン５と同一の構造である）。
【００３１】
前記第１マガジン５は、印画紙支持部９（感光材料支持部に相当、図３参照）をマガジン本体１７に設け、印画紙支持部９に支持させた印画紙２を挟持搬送可能な駆動ローラ１０と圧着ローラ１１とをマガジン本体１７の印画紙排出口１２側に設けて、印画紙２を繰り出し及び巻き戻し自在に構成してある。
【００３２】
前記印画紙支持部９は、前記パイプ状の芯材２４に挿通させる回転支軸２５と、この回転支軸２５をその軸芯周りに回転自在に支持する軸受け部２６とから成る。
【００３３】
そして図２に示すように、前記圧着ローラ１１が印画紙２の巻き戻し方向に回転するのを阻止する回転阻止状態とそれを許容する回転許容状態とに切り換え可能な切り換え機構１３をマガジン本体１７に設けてある。
【００３４】
前記切り換え機構１３について説明すると、圧着ローラ１１の回転軸に第１ギア１４を設け、爪車１６と、第１ギア１４に噛み合う第２ギア１５とを備えた回転軸をマガジン本体１７に支持させ、爪車１６に噛み合う爪１８を一端側に備えた天秤揺動アーム１９をマガジン本体１７に支持させ、爪１８が爪車１６に噛み合うように天秤揺動アーム１９を揺動付勢するスプリング２０を設けてある。
【００３５】
前記爪車１６と、爪１８を備えた天秤揺動アーム１９とスプリング２０とでラチェット機構２１を構成している。つまり、前記切り換え機構１３は、前記圧着ローラ１１と連係するラチェット機構２１を設けて構成してある。
【００３６】
そして、前記スプリング２０の付勢力に抗して、天秤揺動アーム１９の他端側を爪１８と爪車１６との噛み合いが解除されるように押圧可能な可動部材２２をマガジン本体１７の底部側にスライド移動自在に設けてある。
【００３７】
前記可動部材２２は、天秤揺動アーム１９に押圧力を加える方向とは反対方向にバネ材２３で付勢してあり、第１マガジン５を写真処理機本体のマガジン台３から取り外したときは、ラチェット機構２１における爪１８と爪車１６が噛み合って前記回転阻止状態になるよう構成してある。
【００３８】
前記第１マガジン５を写真処理機本体のマガジン台３に取り付け操作すると、それに伴って、可動部材２２がマガジン台３側のカム面（図示せず）に押圧され、天秤揺動アーム１９の他端側を前記スプリング２０の付勢力に抗して押圧して、天秤揺動アーム１９を揺動させ、ラチェット機構２１における爪１８と爪車１６との噛み合いを解除させる。
【００３９】
つまり、第１マガジン５を写真処理機本体のマガジン台３に取り付けた状態では、切り換え機構１３が前記回転許容状態になり、これにより印画紙２を巻き戻しできるようになる。
【００４０】
［別実施形態］
前記切り換え機構１３は、前記圧着ローラ１１とラチェット機構２１以外の機構とを連係して構成してあってもよい。
【００４１】
前記感光材料２は印画紙２以外のものであってもよい。
【図面の簡単な説明】
【図１】写真処理機の概略側面図
【図２】切り換え機構を示す概略図
【図３】マガジンにおける感光材料支持部を示す図
【符号の説明】
２      感光材料
９      感光材料支持部
１０      駆動ロ−ラ
１１      圧着ロ−ラ
１３      切換え機構
１７      マガジン本体
２１      ラチエット機構
Ｏ      ロ−ル軸芯
【図１】
0003722267.tif 000002
【図２】
0003722267.tif 000003
【図３】
0003722267.tif 000004